(57)【要約】      （修正有）【課題】使用者の下半身に弾性的に密着しながら加圧を与えることに加え、使用者の下半身にある所定のつぼに対応する位置につぼ指圧効果を与えるズボンを提供する。【解決手段】着用時にズボン本体１が使用者の下半身に弾性的に密着しながら加圧を与えるズボンであって、ズボン本体１は、複数の遠赤外線粒子１２と、複数のマイナスイオン粒子１３と、を混合した繊維基材１１で構成されていると共に、内表面に、内空間１０へ複数の突起が突出していて、使用者の下半身にある所定のつぼに対応する位置に押し付けながら、つぼ指圧効果を与える指圧ユニット２を具えている。【選択図】図３
0003221610.tif 000002
【実用新案登録請求の範囲】
【請求項１】
着用時にズボン本体が使用者の下半身に弾性的に密着しながら加圧を与えるズボンであって、
前記ズボン本体は、複数の遠赤外線粒子と、複数のマイナスイオン粒子と、を混合した繊維基材で構成されていると共に、内表面に内空間へ複数の突起が突出していて、使用者の下半身にある所定のつぼに対応する位置に押し付けながら、つぼ指圧効果を与える指圧ユニットを具えている
ことを特徴とするズボン。
【請求項２】
前記ズボン本体は、使用者の腰臀部を覆っている腰臀部材と、それぞれ前記腰臀部材から延伸しながら、使用者の左右両脚部を分別的に覆っている左右一対の脚部材と、を具え、
前記指圧ユニットは、それぞれ前記左右一対の脚部材の内表面から前記内空間へ、使用者の左右両脚部にある所定のつぼに対応するように突出している複数の第１の指圧突起と、それぞれ前記腰臀部材の内表面から前記内空間へ使用者の腰臀部にある所定のつぼに対応するように突出している複数の第２の指圧突起と、を具えている
ことを特徴とする請求項１に記載のズボン。
【請求項３】
前記ズボン本体は、それぞれ前記左右一対の脚部材の下開口部から突出している左右一対の足載せ部を更に具え、
前記指圧ユニットは、それぞれ前記左右一対の足載せ部の内表面から前記内空間へ使用者の左右両脚部の足の裏にある所定のつぼに対応するように突出している２つの第３の指圧突起を具えている
ことを特徴とする請求項２に記載のズボン。
【請求項４】
前記複数の第１の指圧突起と前記複数の第２の指圧突起とは、それぞれ凸曲状に形成され、且つ、突出厚さが２ｍｍ〜４ｍｍの範囲内にあり、直径が４ｍｍ〜１０ｍｍの範囲内にある
ことを特徴とする請求項２に記載のズボン。
【請求項５】
前記複数の第１の指圧突起と前記複数の第２の指圧突起と前記第３の指圧突起とは、それぞれ凸曲状に形成され、且つ、突出厚さが２ｍｍ〜４ｍｍの範囲内にあり、直径が４ｍｍ〜１０ｍｍの範囲内にある
ことを特徴とする請求項３に記載のズボン。
【考案の詳細な説明】
【技術分野】
【０００１】
本考案はズボンに関し、具体的には、使用者の下半身にあるつぼの指圧効果を与えるズボンに関する。
【背景技術】
【０００２】
人体の血液は、地球の重力で上から下に向かって両足に流れる傾向があり、そして両足の筋肉が収縮することによって、心臓に押し戻されていることで、足は第二の心臓と言われている。よって、現在、血行を促進させるために、足部、腰部、臀部を弾性的に締め付けることができるタイツを着用することがある。
【０００３】
一方、漢方医学の理論には、人体の中に気と血のエネルギーの通り道であると言われている複数の経絡を有している。また、各経絡において複数の人体の血液が合流したり分枝したり出入りしたりする特定の部位を有し、そして該特定の部位が「つぼ」と呼ばれている。なお、異なっている位置にあるつぼは、それぞれそれなりの機能を有し、例えば、人体の下半身に、胆経における環跳穴や風市穴や中▲涜▼穴や膝陽関穴、任脈における神闕穴や関元穴、督脈における命門穴、足三里穴、委中穴、三陰交穴、湧泉穴などのつぼを有し、そして上記したつぼに対して刺激を与えると、体調の調整や諸症状の緩和／治療を図ることができる。
【考案の概要】
【考案が解決しようとする課題】
【０００４】
しかしながら、上記従来のタイツは、一般的な弾性糸により作成されていることで、人体の下半身を弾力的に締め付けていて加圧することができるが、エネルギー粒子を有していないので、血液循環の改善効果が限られる問題がある。
【０００５】
さらに、従来のタイツは、つぼに対する刺激を与える設計がないので、血液循環の強化、体調の調整、諸症状の緩和などを実現させることが困難である。
【０００６】
よって、本考案は上記問題点に鑑みて、上記欠点を解決できるズボンを提供することを目的とする。
【課題を解決するための手段】
【０００７】
上記目的を達成すべく、本考案は以下のズボンを提供する。
【０００８】
即ち、着用時にズボン本体が使用者の下半身に弾性的に密着しながら加圧を与えるズボンであって、
ズボン本体は、複数の遠赤外線粒子と、複数のマイナスイオン粒子と、を混合した繊維基材で構成されていると共に、内表面に、内空間へ複数の突起が突出していて、使用者の下半身にある所定のつぼに対応する位置に押し付けながら、つぼ指圧効果を与える指圧ユニットを具えているズボンを提供する。
【考案の効果】
【０００９】
上記構成により、本考案に係るズボンは、遠赤外線及びマイナスイオンを用いてエネルギー波を発することができることに加え、使用者に着用される際に、人体の下半身を弾性的に締め付けていて加圧する機能と、人体の下半身にあるつぼを指圧する機能と、の両方を具えていることで、健康を促進させることができる。
【図面の簡単な説明】
【００１０】
【図１】本考案に係るズボンの実施形態が示される斜視図である。
【図２】図１に示されるズボンの反対側が示される斜視図である。
【図３】図１におけるＩＩＩ−ＩＩＩ線に沿った断面の断面図である。
【考案を実施するための形態】
【００１１】
図１〜図３を参照して本考案に係るズボン１００の実施形態を説明する。図１は本考案に係るズボン１００の実施形態が示される斜視図であり、図２は図１に示されるズボン１００の反対側が示される斜視図であり、また、図３は図１におけるＩＩＩ−ＩＩＩ線に沿った断面の断面図である。
【００１２】
図１と図２に示されるように、本考案に係るズボン１００は、着用時にズボン本体１が使用者の下半身に弾性的に密着しながら加圧を与える。
【００１３】
本実施形態では、ズボン本体１は、図３に示されるように、複数の遠赤外線粒子１２と、複数のマイナスイオン粒子１３と、を混合した繊維基材１１で構成されている。即ち、該ズボン本体１は、遠赤外線及びマイナスイオンのダブル効果を有している糸と、ペプチド結合タンパク質繊維及び弾性繊維から混合された糸と、から織られているものである。
【００１４】
また、該遠赤外線粒子１２の化学組成は、３０％のＺｎ２Ｏ、３０％のＡｌ２Ｏ３、３０％のＴｉＯ２、１０％のＳｂ２Ｏ３であることができる。
【００１５】
さらに、遠赤外線粒子１２は、遠赤外線光波を発することによって、細胞中の水分子に共振を与えることで、細胞活性化を刺激させること及び細胞成長を促進させることに有効である。即ち、遠赤外線粒子１２は、血液循環と新陳代謝とを促進させたり、細胞組織を活性化させたり、人体の毒素と代謝老廃物とを除去させたり、人体のｐＨ値をバランスを良くさせたり、皮膚呼吸による人体の酸素吸入量を増加させて免疫力を向上させたり、汗を素早く蒸発させたり、臭気を除去させたり、黴の発生を防止したり、殺菌したり、蓄熱したり、することができるため、人間の健康を増進することができる。
【００１６】
また、該マイナスイオン粒子１３は、一般的には、ホアルミニウム（Ａｌ）、ナトリウム（Ｎａ）、鉄（Ｆｅ）、マグネシウム（Ｍｇ）、リチウム（Ｌｉ）の含ホウ素環状ケイ酸塩鉱物であり、且つ、三方晶系のケイ酸塩、少量の酸化鉄、酸化アルミニウム、マグネシウム、有機物などのものを主成分とする。
【００１７】
さらに、マイナスイオン粒子１３は、有害物質を吸着／分解したり、空気を浄化したり、することができる特性を具えている。
【００１８】
他の実施形態では、ズボン本体１を構成する繊維基材１１には、殺菌効果を有するナノ銀粒子が添加されても良い。該ナノ銀粒子は、細菌の細胞壁又は細胞膜に結合して、細菌の細胞の内部に侵入して、細菌の代謝を低下させて、細菌の活性を失わせることができる。
【００１９】
また、ズボン本体１は、図１と図２に示されるように、使用者の腰臀部を覆っている腰臀部材１５と、それぞれ腰臀部材１５から延伸しながら、使用者の左右両脚部を分別的に覆っている左右一対の脚部材１４と、それぞれ左右一対の脚部材１４の下開口部から突出している左右一対の足載せ部１６と、を具えている。
【００２０】
なお、ズボン本体１は、内表面に内空間１０へ複数の突起が突出していて、使用者の下半身にある所定のつぼに対応する位置に押し付けながら、つぼ指圧効果を与える指圧ユニット２を具えている。本実施形態では、指圧ユニット２は、ズボン本体１と一体的に形成されていると共に、内空間１０へ突出されているものである。他の実施形態では、ズボン本体１と一体的に形成されることに限定されず、ズボン本体１に取り付けても良い。
【００２１】
指圧ユニット２は、図１と図２に示されるように、それぞれ左右一対の脚部材１４の内表面から内空間１０へ使用者の左右両脚部にある所定のつぼに対応するように突出している複数の第１の指圧突起（２１Ａ〜２１Ｈ）と、それぞれ腰臀部材１５の内表面から内空間１０へ使用者の腰臀部にある所定のつぼに対応するように突出している複数の第２の指圧突起（２２Ａ〜２２Ｃ）と、それぞれ左右一対の足載せ部１６の内表面から内空間１０へ使用者の左右両脚部の足の裏にある所定のつぼに対応するように突出している２つの第３の指圧突起２３と、を具えている。
【００２２】
また、第１の指圧突起（２１Ａ〜２１Ｈ）と、第２の指圧突起（２２Ａ〜２２Ｃ）と、第３の指圧突起２３とは、形状や突出する厚さ（長さ）は特に限定されないが、ズボン本体１の内表面から内空間１０へ突出すれば良い。なお、本実施形態では、複数の第１の指圧突起（２１Ａ〜２１Ｈ）と複数の第２の指圧突起（２２Ａ〜２２Ｈ）と第３の指圧突起２３とは、図３に示されるように、それぞれ凸曲状に形成され、且つ、突出する厚さＨが２ｍｍ〜４ｍｍの範囲内にあり、特に３ｍｍが好ましく、直径Ｄが４ｍｍ〜１０ｍｍの範囲内にあり、特に５ｍｍが好ましい。
【００２３】
なお、突出する厚さＨが２ｍｍ以下であれば、つぼ指圧効果が十分に得られず、一方、突出する厚さＨが４ｍｍ以上であれば、着用時に異物感が生ずるといった問題点がある。そして、直径Ｄが４ｍｍ以下であれば、所定のつぼに対応しにくい問題があり、一方、直径Ｄが１０ｍｍ以上であれば、所定のつぼに対する加圧の強度が分散されてしまう。
【００２４】
以下、本考案に係るズボン１００の製造方式について説明する。
【００２５】
まず、編み機と組み合わせているコンピュータを使用して、内表面に指圧ユニット２が突出されるズボン本体１を具えるズボン１００の設計図が編み機を制御することができるコンピュータに入力する。
【００２６】
ここで、前述した編み機とコンピュータと組み合わせる技術は、本考案の特徴ではないので、更なる詳細な記載がなくても、同業者であれば、上記の内容に基づいて利用できると考える。
【００２７】
次に、コンピュータが編み機を制御することによって、ズボン本体１と、ズボン本体１の内表面につぼ指圧効果を与える指圧ユニット２と、を順番に自動的に一体成形する。
【００２８】
また、第１の指圧突起（２１Ａ〜２１Ｈ）と、第２の指圧突起（２２Ａ〜２２Ｃ）と、第３の指圧突起２３とは、製造工程において糸を太くすることによって成形される。
【００２９】
よって、本考案に係るズボン１００の製造方式は、二次製造プロセスが不要であることで、便利である。
【００３０】
図１に示されるように、本考案に係るズボン１００は、使用者に着用される際に、第１の指圧突起（２１Ａ〜２１Ｄ）は、それぞれ上脚の外側にある環跳穴、風市穴、中▲涜▼穴、膝陽関穴に対応する位置にマッサージ師が指で押圧したような刺激（以下、「指圧」という。）を与える。また、第１の指圧突起２１Ａに対応する環跳穴と、第１の指圧突起２１Ｂに対応する風市穴と、第１の指圧突起２１Ｃに対応する中▲涜▼穴と、第１の指圧突起２１Ｄに対応する膝陽関穴とは、胆経に属すると共に、それぞれ上脚の外側において上から下に互いに間隔をあけている上、常に指圧を加えて刺激されると、不要な老廃物の排出を促したりやダイエットなどの効果を有する。
【００３１】
また、第１の指圧突起２１Ｄ（即ち、膝陽関穴に対応する）の下側にある第１の指圧突起２１Ｅは、膝をたてて腓骨頭の前下際にある陽陵泉穴に対応する位置に指圧を与える。さらに、該陽陵泉穴は、筋の弛緩及び経絡の活性化のつぼとして知られている上、常に指圧を加えて刺激されると、肩の痛みや肋間神経痛などを軽減する効果を有する。
【００３２】
また、第１の指圧突起２１Ｅ（即ち、陽陵泉穴に対応する）のほぼ下側にある第１の指圧突起２１Ｆは、人体の膝の皿の下のくぼみから約３インチ下にある足三里穴に対応する位置に指圧を与える。さらに、該足三里穴は、常に指圧を加えて刺激されると、心血管系疾患や脳血管性疾患を予防する効果を有することに加え、ストレスと疲労や慢性胃腸疾患などを軽減する効果を有する。
【００３３】
また、第１の指圧突起２１Ｇは、人体の足関節から約３インチ上にある三陰交穴に対応する位置に指圧を与える。さらに、該三陰交穴は、脾胃虚弱を抑えるつぼとして知られている上、常に指圧を加えて刺激されると、下痢、消化不良、婦人科疾患、下肢神経痛、排尿痛、月経不順、卵巣と子宮との保健、皮膚アレルギー、炎症、湿疹、しわやにきびをできにくくし、炎症、体内の老廃物を取り除きなどを改善する効果を有する。
【００３４】
また、第１の指圧突起２１Ｈは、図２に示されるように、人体の膝の後ろ側のくぼみの中央にある委中穴に対応する位置に指圧を与える。さらに、該委中穴は、腰痛を軽減することができるつぼとして知られている上、常に指圧を加えて刺激されると、腰痛、坐骨神経痛、膝の痛み、膝関節炎などの腰から足の裏すじにかけての痛みを軽減する効果を有する。
【００３５】
また、第２の指圧突起２２Ａは、図１に示されるように、人体のへそにある神闕穴に対応する位置に指圧を与える。なお、母親の体の中にいる胎児が臍帯を通して母親の栄養素と酸素を吸収するので、漢方医学の理論において、へそが５つの内臓を通していると言われている。よって、該神闕穴は、常に指圧を加えて刺激されると、若々しさを保つ効果を有する。
【００３６】
また、第２の指圧突起２２Ｂは、神闕穴から約３インチ下にある関元穴に対応する位置に指圧を与える。さらに、該関元穴は、常に指圧を加えて刺激されると、腎臓の働きを活性化し、老化抑制などの効果を有する。
【００３７】
また、第２の指圧突起２２Ｃは、図２に示されるように、人体の臀部の後ろ側（即ち、神闕穴の反対側）にある命門穴に対応する位置に指圧を与える。さらに、該命門穴は、常に指圧を加えて刺激されると、腎臓の強化、性機能障害、月経不順、慢性腸炎、腰部疾患などを改善する効果を有する。
【００３８】
また、２つの第３の指圧突起２３は、図１と図２に示されるように、それぞれ足の裏における中央凹陥の箇所にある湧泉穴に対応する位置に指圧を与える。さらに、該湧泉穴は、常に指圧を加えて刺激されると、脾臓に有益であるのみならず、安眠を支援する効果を有する。
【００３９】
勿論、ここで、第１の指圧突起（２１Ａ〜２１Ｈ）と第２の指圧突起（２２Ａ〜２２Ｃ）と第３の指圧突起２３との数量は、１２つ有しているが、場合によって数量を変更することができる。
【００４０】
総括すると、本考案に係るズボン１００のズボン本体１は、弾性を具えた材料から作成されていることで、本考案に係るズボン１００が使用者に着用されると、使用者の下半身（即ち、脚部及び下腹部）に弾性的に密着しながら加圧を与え、且つ、複数の遠赤外線粒子１２及び複数のマイナスイオン粒子１３を具えている繊維基材１１で構成されているので、複数の遠赤外線粒子１２及び複数のマイナスイオン粒子１３によるエネルギー波を発して、人体の血液循環を促進させることができる。
【００４１】
また、ズボン本体１から内空間１０へ突出している複数の第１の指圧突起（２１Ａ〜２１Ｈ）と複数の第２の指圧突起（２２Ａ〜２２Ｃ）と第３の指圧突起２３とは、それぞれ使用者の下半身にあるつぼ(例えば、胆経における環跳穴や風市穴や中▲涜▼穴や膝陽関穴、任脈における神闕穴や関元穴、督脈における命門穴、足三里穴、委中穴、三陰交穴、湧泉穴など)に対応し、指圧を与えることができることで、健康を増進させることができる。
【００４２】
上記実施形態のように、本考案は、その要旨を逸脱しない範囲で種々の変更が可能である。
【産業上の利用可能性】
【００４３】
本考案は、上記のように記載されたズボンは、遠赤外線及びマイナスイオンを具えている繊維基材で構成されているので、血液循環を促進するためのエネルギー波を発することができることに加え、使用者に着用される際に、人体の下半身を弾力的に締め付けていて加圧する機能と、人体の下半身にあるつぼの指圧を与える機能と、の両方を具えていることで、健康を増進させるのみならず、経済価値及びヘルスケア機能を飛躍的に向上させることができる。
【００４４】
そのため、産業上の利用可能性がある。
【符号の説明】
【００４５】
１００  ズボン
１  ズボン本体
１０  内空間
１１  繊維基材
１２  遠赤外線粒子
１３  マイナスイオン粒子
１４  脚部材
１５  腰臀部材
１６  足載せ部
２  指圧ユニット
２１Ａ〜２１Ｈ  第１の指圧突起
２２Ａ〜２２Ｃ  第２の指圧突起
２３  第３の指圧突起
Ｈ  突出厚さ
Ｄ  直径
【図１】
0003221610.tif 000003
【図２】
0003221610.tif 000004
【図３】
0003221610.tif 000005